(57)【要約】      （修正有）【課題】手描きにより記入しても、略均一、かつ均質な表示を可能にする記載部の構造を備えた交換用ホルダー本体を提供する。【解決手段】旧くなったホルダー本体１と入れ替えられる新しい交換用ホルダー本体３であって、該交換用ホルダー本体に設定される個別番号の記載区域Ｓに、平面から視て大略日状を呈するフォント形状を凹設又は印刷により形成した。【選択図】図１
0003209198.tif 000002
【実用新案登録請求の範囲】
【請求項１】
キーを保持するホルダー本体と、該ホルダー本体に分離可能に結合されるか、または前記ホルダー本体に一体に成形されたバンド部を備えたキーホルダーに対し、旧くなった前記ホルダー本体と入れ替えられる新しい交換用ホルダー本体であって、該交換用ホルダー本体に設定される個別番号の記載区域に、平面から視て大略日状を呈するフォント形状を凹設又は印刷により形成したことを特徴とするキーホルダー。
【請求項２】
大略日状を呈するように形成したフォント形状は、少なくとも数字の３個〜４個を並べた形が表示できる請求項１に記載のキーホルダー。
【請求項３】
形成するフォント形状は、ビットマップフォント状、または袋文字フォント状である請求項１または２に記載のキーホルダー。
【考案の詳細な説明】
【技術分野】
【０００１】
本考案は、スポーツジムや温泉施設等に設置されている貸ロッカー等において不特定複数の利用者に使用される前記貸ロッカー等のキーを、貸ロッカー等の使用者が身体に着けておくためのキーホルダーに関する。
【背景技術】
【０００２】
不特定複数の人が利用するスポーツジムや温泉施設等においては、下駄箱、ロッカー、その他の収納庫などの扉に設けられている施錠装置用のキーを、前記ロッカーなどの使用者が紛失することなく安全に身体に着けておくために、特許文献１〜３に記載されているようなキーホルダーが使用されている。
【０００３】
上記公知のキーホルダーは、キーを保持するホルダー本体と、該ホルダー本体に分離可能に、または一体に成形されたバンド部とを備えて形成され、通常、前記ホルダー本体、バンド部とも柔軟なプラスチック成形品として形成されている。
【０００４】
前記キーホルダーは、プラスチック製であるため、長期間使用していると、使用されている樹脂材料の経年劣化なども起因して、ホルダー本体とバンド部の連結部等が壊れたり、ホルダー本体に記入された個別番号（例えば、使用ロッカーの番号）が摩耗して見えなってしまう等の消耗故障が多発するようになる。
【０００５】
上記のようなキーホルダーの消耗故障に対しては、ホルダー本体とバンド部が分離可能に結合されたタイプのキーホルダーでは、前記ホルダー本体を新しいものに交換し、またホルダー本体とバンド部とが一体成形されたキーホルダーでは、キーホルダー全体を新しいものに交換している。
【０００６】
いずれの交換においても、保持しているキー自体は同じものをホルダー部に保持させるから、交換したホルダー本体、或いは交換したキーホルダーのホルダー本体（以下、いずれも交換用ホルダー本体という。）には、旧いホルダー本体に付されていた個別番号と同じ番号を記入する必要がある。
【０００７】
しかし交換ホルダー本体への個別番号の記入は、手描きであるため、表記が不揃いになり易く、見栄えも好ましくない。
【先行技術文献】
【特許文献】
【０００８】
【特許文献１】意匠登録１１１１９３７号公報
【特許文献２】意匠登録１１０６５８７号公報
【特許文献３】特開２００６−１３２１８５号公報
【考案の概要】
【考案が解決しようとする課題】
【０００９】
そこで本考案が課題とするところは、前述の消耗故障に際して旧いホルダー本体と入れ替えた交換ホルダー本体に、表記すべき個別番号を誰が手描きにより記入しても、略均一、かつ均質な表示を可能にする記載部の構造を備えた交換用ホルダー本体を提供することにある。
【課題を解決するための手段】
【００１０】
上記課題を解決することを目的としてなされた本考案交換用ホルダー本体の構成は、キーを保持するホルダー本体と、該ホルダー本体に分離可能に結合されるか、または前記ホルダー本体に一体に成形されたバンド部を備えたキーホルダーに対し、旧くなった前記ホルダー本体と入れ替えられる新しい交換用ホルダー本体であって、該交換用ホルダー本体に設定される個別番号の記載区域に、平面から視て大略日状を呈するフォント形状を凹設したことを特徴とする。
【００１１】
大略日状を呈する凹設したフォント形状は、少なくとも数字を３個〜４個並べた形で表示できるものであることが好ましい。前記の凹設するフォント形状は、ビットマップフォント状、または袋文字フォント状であってよい。
【考案の効果】
【００１２】
旧くなった前記ホルダー本体と入れ替えられる新しい交換用ホルダー本体であって、該交換用ホルダー本体に設定される個別番号の記載区域に、平面から視て大略日状を呈するフォント形状を凹設したから、当該交換用ホルダー本体の前記記載区域に、何人が個別番号を手書きしても、前記の凹設したフォント形状に沿った記入になる。
よって、交換ホルダー本体への個別番号の記入を、記入する者の筆力の如何に拘わらず略均一、均質な表示とすることができて、見栄えが良好である。また、記入される個別番号は、凹設されたフォント形状の内部に表記塗料や表記顔料等が入って定着するから、長期間使用しても摩耗しにくい。
【図面の簡単な説明】
【００１３】
【図１】本考案交換用ホルダー本体における個別番号の記載区域を上面にした平面図。
【図２】図１の記載区域に凹設形成したフォント形状の一例の拡大平面図
【図３】図２のフォント形状に数字の例を記入した例の平面図。
【図４】従来のキーホルダーの第一例の平面図。
【図５】従来のキーホルダーの第二例の平面図。
【図６】従来のキーホルダーの第三例の平面図。
【考案を実施するための形態】
【００１４】
次に、本考案の実施形態の一例について説明するが、この説明に先立って図４〜図６により、従来公知のキーホルダーについて説明する。図４〜図６において、１は、ロッカー等のキーＫを装着したホルダー本体で、図４のホルダー本体１は、バンド部２を分離可能に備えて、本考案を適用するキーホルダーＫＨの一例に形成されている。
【００１５】
図４と図５に示したキーホルダーＫＨは、前記ホルダー本体１の上下両側に設けられた平面視大略コ状のバンド連結部１ａ，１ｂに連結ピン１ｃを介してバンド部２の両端部２ａ，２ｂが連結されている。
【００１６】
図４のバンド部２は、尾錠２ｃを有する一方のバンド部材２１と、前記尾錠２ｃに保持される他方のバンド部材２２により形成されている。
【００１７】
一方、図５のバンド部２は、カールコード状をなす一本のバンド部材２３の両端部２３ａ,２３ｂが、ホルダー本体１の上下のバンド連結部１ａ,１ｂに連結されている。
【００１８】
図６のキーホルダーＫＨは、前記ホルダー本体１とバンド部２の２つの部材が、図４、図５の例のように連結部１ａ,１ｂを介在して分離形成されることなく一体成形された、当該ホルダー本体１とバンド部２とが分離不能に形成されたキーホルダーである。
【００１９】
上記図４、図５のキーホルダーＫＨにおけるホルダー本体１は、図１に例示したように平面から視て横長の大略長方形状乃至横長の大略長円形状の外形を有すると共に、図１の例では、右側端部で折返し状に連結１３されて上下に重なった２枚のホルダー部材１１，１２を有し、このホルダー部材１１，１２の左端寄りには、キーＫを結合する結合穴１４が形成されている。
【００２０】
キーＫは、一例として上位のホルダー部材１１の結合穴１４に、そのツマミ部Ｋｔに設けた結合穴がピン等の軸Ｐで結合され、その軸Ｐを中心に回転できるように形成されている。従って、下位のホルダー部材１２は、回転してくるキーＫの上面を覆うカバーとなる。なお、図６のキーホルダーＫＨにおけるホルダー本体１は、ベルト部２と一体成形されている関係で、両部材１，２の境界部が大きく膨らんだ平面形状であり、またホルダー本体１は、上下のホルダー部材１１，１２が重なって形成されている。
【００２１】
以上により、図４、図５のキーホルダーＫＨは、ホルダー本体１が傷むと、当該ホルダー本体１をバンド部２から取り外してホルダー本体１のみの交換ができる。しかし、図６のキーホルダーＫＨは、ホルダー本体１の部分のみが傷んでもキーホルダーＫＨの全体を交換することにより、ホルダー本体１の交換をしている。因みに、図６のキーホルダーＫＨでは、バンド部２が痛んでも、キーホルダーＫＨ全体の交換を要するが、図４、図５のキーホルダーＫＨでは、バンド部２が傷めばその部２のみの交換ができる。
【００２２】
本考案は、図４〜図６により説明したキーホルダーＫＨにおいて、ホルダー本体１の交換をするとき、ホルダー部材１１または１２の表面に個別番号の記載区域Ｓを設けた交換用ホルダー本体３（図４、図５のホルダー本体１と同一物）を用いるようにした。すなわち、本考案交換用ホルダー本体３は、図１の例では上位のホルダー部材１１の表面（上面）に観念上区画して設定する記載区域Ｓに、平面から視て大略日状を呈する４個のフォント形状Ｆを図の左右方向に並べて凹設したものである。
【００２３】
上記の交換用ホルダー本体３を、図４又は図５のキーホルダーＫＨにおけるホルダー本体１に代えて当該キーホルダーＫＨに取付けたとき、元のホルダー本体１に記入されていたロッカー番号の個別番号と同一数値を、ホルダー本体１に描き込むが、本考案によれば、凹設された略日状のフォント形状Ｆの浅い溝に沿って所定数値を塗料または顔料等の表示材Ｄにより描き込むことになるから、表示材Ｄの描き込み線が前記の略日常をなすフォントＦの凹溝に案内されることとなり、これによって誰が描いても文字の大きさや形が崩れることのない略均一、均質な個別番号の描き込みを行うことができる（図２、図３参照）。
なお、ロッカー番号や個別番号は、数値に限られるものではなくアルファベットや片仮名等、数値以外の文字であってもよい。
以上の説明は、フォント形状Ｆを凹設して形成した例についてであるが、本考案ではフォント形状を前記凹設に代えて印刷や刻印により形成したものであっても上記例とほぼ同等の効果を得られる。フォント形状の凹設はプレス成型や彫り込み等による。
【００２４】
本考案は以上の通りであって、旧くなった前記ホルダー本体と入れ替えられる新しい交換用ホルダー本体であって、該交換用ホルダー本体に設定される個別番号の記載区域に、平面から視て大略日状を呈するフォント形状を凹設又は印刷により形成したから、交換ホルダー本体への個別番号の手描き書込みを、略均質、均一に形成することができ、実用上極めて有用である。
【符号の説明】
【００２５】
ＫＨ  キーホルダー
１  ホルダー本体
２  バンド部
３  交換用ホルダー本体
１１，１２  ホルダー部材
Ｓ  記載区域
Ｆ  フォント形状
Ｄ  塗料、顔料などによる表示材
【図１】
0003209198.tif 000003
【図２】
0003209198.tif 000004
【図３】
0003209198.tif 000005
【図４】
0003209198.tif 000006
【図５】
0003209198.tif 000007
【図６】
0003209198.tif 000008